(57)【要約】【課題】限られた設置スペースで多くの操作装置を搭載する。【解決手段】商品を収納する収納室が内部に形成された本体部３に、収納室を冷却する冷却ユニット９を内蔵したショーケースの操作パネルであって、本体部３に設けられ、冷却ユニット９を操作する操作装置を搭載した第１のパネル２０と、第１のパネル２０を覆い且つ第１のパネル２０に対し着脱可能に設けられ、冷却ユニット９を操作する操作装置を搭載した第２のパネル３０と、を含んでショーケースの操作パネルを構成する。【選択図】図３
2008014514.tif 000002
【特許請求の範囲】
【請求項１】
物品を収納する収納室が内部に形成された本体部に前記収納室を冷却する冷却ユニットを内蔵したショーケースの操作パネルであって、
前記本体部に設けられ、前記冷却ユニットを操作する第１の操作装置を備えた第１のパネルと、
前記第１のパネルを覆うよう該第１のパネルに対し着脱可能または開閉可能に設けられ、前記冷却ユニットを操作する第２の操作装置を備えた第２のパネルと、
を含んで構成されることを特徴とするショーケースの操作パネル。
【請求項２】
前記第１の操作装置は使用頻度の低い操作装置である一方、
前記第２の操作装置は使用頻度の高い操作装置であることを特徴とする請求項１に記載のショーケースの操作パネル。
【請求項３】
前記第１のパネルは前記本体部の前面に設けられたことを特徴とする請求項１または２に記載のショーケースの操作パネル。
【発明の詳細な説明】
【技術分野】
【０００１】
本発明は、ショーケースの操作パネルに係り、特に、商品等の収納室を備えたショーケースに設けられた操作パネルに関する。
【背景技術】
【０００２】
コンビニエンスストア等の店舗に備えられたショーケースのように、冷却機能を備えた貯蔵庫は、一般的に、本体部の内部に商品等の収納室が形成されるとともに、収納室を冷却する冷却ユニットと冷却ユニットの作動を制御するコントロールユニットとが内蔵されている。コントロールユニットは、箱型状に形成されており、その前面には、運転スイッチや温度表示機等の操作装置を搭載した操作パネルが設けられている（特許文献１参照）。
【特許文献１】実開平６−７８７７８号公報
【発明の開示】
【発明が解決しようとする課題】
【０００３】
上記のようなショーケースでは、通常、収納室は本体部の上部に配置されるとともに、コントロールボックスは収納室の下方に配置されている。更に、ショーケースは、壁面に沿って複数並べて設置される場合が多いので、ショーケースを移動せずに操作装置の操作及び視認が可能となるように、ショーケースの前面に操作パネルが設けられている。
しかしながら、上記のように取付位置が限定されると、操作パネルの大きさが制約されてしまうので、操作パネルに多くの操作装置が搭載できなくなる虞がある。
【０００４】
本発明はこのような問題点を解決するためになされたもので、その目的とするところは、限られた操作パネルの設置スペースで、多くの操作装置を搭載可能なショーケースの操作パネルを提供することにある。
【課題を解決するための手段】
【０００５】
上記の目的を達成するために、請求項１の発明は、物品を収納する収納室が内部に形成された本体部に前記収納室を冷却する冷却ユニットを内蔵したショーケースの操作パネルであって、前記本体部に設けられ、前記冷却ユニットを操作する第１の操作装置を備えた第１のパネルと、前記第１のパネルを覆うよう該第１のパネルに対し着脱可能または開閉可能に設けられ、前記冷却ユニットを操作する第２の操作装置を備えた第２のパネルと、を含んでショーケースの操作パネルを構成する。
【０００６】
また、請求項２の発明は、請求項１の発明において、前記第１の操作装置は使用頻度の低い操作装置である一方、前記第２の操作装置は使用頻度の高い操作装置であることを特徴とする。
また、請求項３の発明は、請求項１または２の発明において、前記第２のパネルを前記本体部の前面に設けることを特徴とする。
【発明の効果】
【０００７】
本発明の請求項１のショーケースの操作パネルによれば、第１のパネルを覆うよう該第１のパネルに対し着脱可能または開閉可能に第２のパネルが設けられるので、第１のパネルの設置スペース（間口）で、第１のパネルだけではなく第２のパネルも設置される。したがって、限られた操作パネルの取付スペースで、多くの操作装置を搭載することができる。
【０００８】
また、請求項２のショーケースの操作パネルによれば、通常は第２のパネルにより第１のパネルを覆うことによって第１のパネルと第２のパネルのうち第２のパネルに備えられた使用頻度の高い操作装置のみが操作可能である。したがって、使用頻度の低い操作装置の誤操作を防止することができる。一方、必要に応じて第２のパネルを取り外す或いは開放することによって第１のパネルが露出し使用頻度の低い操作装置も操作可能となる。
【０００９】
また、請求項３のショーケースの操作パネルによれば、第１のパネルが本体部の前面に設けられるとともに、これに伴い第２のパネルも本体部の前面に設けられるので、背面を壁面に沿わせ複数並べて設置されるショーケースにおいても、ショーケースを移動せずに第１のパネル及び第２のパネルに備えられた操作装置の操作が可能となる。
【発明を実施するための最良の形態】
【００１０】
以下、本発明の実施例を添付図面に基づいて説明する。
図１は、本発明に係るショーケースの全体図である。
図１に示すように、コンビニエンスストア、スーパーストア等の店舗に設置され、アイス等の商品を陳列するために用いられるショーケース１には、商品を収納する収納室２が備えられている。収納室２は、ショーケース１の本体部３の内部に形成されている。本体部３の上部には、収納室２内に商品を出し入れするために、開口部４が設けられている。一方、本体部３の前面には、後述する機械室の開口部を覆う機械室カバー５が備えられている。機械室カバー５は、ロック装置５ａにより、本体部３に容易に着脱可能に固定されている。
【００１１】
図２に機械室カバー５を取り外した状態のショーケース１の斜視図を示すように、本体部３の内部には、収納室２の下方に機械室６が形成されている。機械室カバー５が取り外された状態では、本体部３の前面に機械室６の開口部７が開口している。機械室６には、前方にスライド可能なスライドベース８が収納されている。スライドベース８には、収納室２内を冷却する冷却ユニット９が搭載されている。
【００１２】
図３に示すように、機械室６の右端部には、冷却ユニット９の作動制御を行う箱状のコントロールユニット１０が搭載されている。コントロールユニット１０の前面には、第１のパネル２０が設けられている。第１のパネル２０には、冷却ユニット９を操作する使用頻度の少ない操作装置が搭載されている。使用頻度の少ない操作装置としては、漏電遮断器のレバースイッチ２１、漏電遮断器のテストスイッチ２２及び電源の相切換スイッチ２３等が挙げられる。なお、これらの使用頻度の少ない操作装置は、本発明の第１の操作装置に該当する。
【００１３】
コントロールユニット１０の前面には、着脱可能にして第１のパネル２０を覆うカバー２４が取り付けられている。カバー２４は、工具を用いずに締め付けが可能な化粧ネジ２５によってコントロールユニット１０に締結されている。なお、カバー２４を、例えばヒンジを介して開閉可能にコントロールユニット１０の前面に取り付けてもよい。
図４に示すように、カバー２４の表面には第２のパネル３０が設けられ、第２のパネル３０には、冷却ユニット９を操作する使用頻度の高い操作装置が搭載されている。使用頻度の高い操作装置としては、運転スイッチ３１、収納室２内の温度を設定する温度設定スイッチ３２、図示しない異常警告用警報ブザーの作動を停止させるブザー停止スイッチ３３、タイマー設定用の時計スイッチ３４、コントロールユニット１０の点検作動を行う点検スイッチ３５、冷却ユニット９の作動設定切換スイッチ３６、手動除霜スイッチ３７、各種警報ランプ（高圧警報ランプ３８ａ、排水警報ランプ３８ｂ、除霜中表示ランプ３８ｃ）及び設定温度等の表示装置３９が挙げられる。なお、これらの使用頻度の高い操作装置は、本発明の第２の操作装置に該当する。更に、第２のパネル３０には、収納室２内に設けられた照明のＯＮ、ＯＦＦを切り換える照明スイッチ４０が搭載されている。
【００１４】
また、カバー２４の裏面には、第２のパネル３０に搭載された操作装置とコントロールユニット１０とを接続する配線、検査用の配線及び電源線等を接続する端子４１が設けられている（図３参照）。電源線は、カバー２４に設けられた切欠部４２と機械室カバー５の下方とを通過して外部の電源に接続されている。
以上のような構成のショーケース１では、機械室カバー５を取り外すことによって、第２のパネル３０が前面に露出する。したがって、第２のパネル３０に設けられている温度設定スイッチ３２等の使用頻度の高い操作装置を操作、視認することができる。更に、化粧ネジ２５を取り外し、カバー２４を取り外すことによって、第１のパネル２０が露出する。したがって、第１のパネル２０に備えられた相切換スイッチ２３等の使用頻度の低い操作装置を操作することができる。
【００１５】
このように、ショーケース１では、第２のパネル３０は第１のパネル２０を覆うように配置されているので、第１のパネル２０の設置スペース（間口）で、第１のパネル２０だけではなく第２のパネル３０も設置されることとなる。したがって、限られた設置スペースで、操作パネルに多くの操作装置を搭載することができる。
また、使用頻度の低い操作装置は、通常、カバー２４によって覆われているので、例えば、ユーザーが使用しないスイッチを使用頻度の低い操作装置として第１のパネル２０に配置することにより、このスイッチのユーザーによる誤操作を防止することができる。
【００１６】
また、カバー２４には、操作装置だけではなく端子４１も設けられており、操作装置や端子４１が集中して配置されるので、設置工事やメンテナンスが容易になる。
なお、カバー２４の裏面に端子４１の他に使用頻度の低い操作装置を更に設けてもよい。これにより、操作装置の搭載数を更に増加させることができる。
また、本実施形態では、本体部３の前面に第１のパネル２０及び第２のパネル３０を設置しているが、これに限定するものではなく、例えば、本体部３の側面に第１のパネル２０及び第２のパネル３０を設置してもよい。
【図面の簡単な説明】
【００１７】
【図１】本発明に係るショーケースの全体図である。
【図２】機械室カバーを取り外した状態のショーケースの斜視図である。
【図３】第１のパネル及び第２のパネルの設置位置を示す斜視図である。
【図４】第２のパネルを示す正面図である。
【符号の説明】
【００１８】
１  ショーケース
２  収納室
３  本体部
９  冷却ユニット
２０  第１のパネル
３０  第２のパネル
【図１】
2008014514.tif 000003
【図２】
2008014514.tif 000004
【図３】
2008014514.tif 000005
【図４】
2008014514.tif 000006